(57)【要約】      （修正有）【課題】陸域で生じる水の流れを一体化して把握し、４次元水循環再現・解析・予測・可視化できるようにしたシミュレーションシステムを提供する。【解決手段】４次元水循環再現・解析・予測・可視化シミュレーションシステムは、衛星画像データと現地実測データと地形・地質データとを用いて生成した一定範囲の地圏における地表、地下を含む３次元地形・地質モデルをシミュレーション結果記憶部１６に記憶し、３次元地形・地質モデルの地下は初期化モデルを生成し、初期化モデルに対して、過去・近現代再現、及び未来予測のためのパラメータの入力に応じて、演算処理、画像生成処理を実行し、地形・地質モデル等の修正を行い精度を高め、結果をシミュレーション結果記憶部１６に記憶するとともに、静止画及び動画処理して表示部１９に表示し、過去から未来に至る４次元水循環状況の再現・解析・予測・可視化を行う。【選択図】図２
2014037677.tif 000002
【特許請求の範囲】
【請求項１】
日本国土等の一定範囲の地圏における過去から未来までの水循環状況を再現・解析・予測・可視化するコンピュータを用いた４次元水循環再現・解析・予測・可視化シミュレーションシステムであって、
衛星画像データ、現地実測データ及び既存公表されている地形・地質データを用いて生成した一定範囲の地圏における地表、地下を含む３次元地形・地質モデルを記憶手段に記憶し、
要請される水問題解決のための解析課題の明確化の基に組まれたシミュレーションプログラムの実行によって、３次元地形・地質モデルの地下を飽和帯とする初期化処理を行って初期化モデルを生成し、
初期化モデルに対してシミュレーションプログラムの実行の基に、過去・近現代再現、及び未来予測のための各種パラメータの入力手段からの入力に応じて、演算手段による演算処理、画像生成処理手段による画像生成処理によるシミュレーションを実行し、
そのシミュレーション結果は数値解析手法や地形・地質解析手法及び歴史的事実比較手法等により検証され必要に応じ地形・地質モデル等の修正を行いシミュレーション精度を高め、
シミュレーション結果を記憶手段に記憶するとともに、２次元又は３次元の静止画及び動画処理して表示手段に表示し、
当該一定範囲の地圏における過去から未来に至る４次元水循環状況の再現・解析・予測・可視化を行うようにしたことを特徴とする４次元水循環再現・解析・予測・可視化シミュレーションシステム。
【請求項２】
日本国土等の一定範囲の地圏における過去から未来までの水循環状況を再現・解析・予測・可視化するコンピュータを用いた４次元水循環再現・解析・予測・可視化シミュレーションシステムであって、
衛星画像データと現地実測データ及び既存公表されている地形・地質データとを用いて生成した一定範囲の地圏における地表、地下を含む３次元地形・地質モデルを記憶手段に記憶し、
要請される水問題解決のための解析課題の明確化の基に組まれたシミュレーションプログラムの実行によって、３次元地形・地質モデルの地下は飽和帯とする初期化処理を行って初期化モデルを生成し、
初期化モデルに対してシミュレーションプログラムの実行の基に、過去・近現代再現、及び未来予測のための気象、水文、地形、土地利用、地質、土砂、水利用、人工物、流体物性、化学物質特性に関する各種パラメータの入力手段からの入力に応じて、演算手段による演算処理、画像生成処理手段による画像生成処理によるシミュレーションを実行し、
そのシミュレーション結果は数値解析手法や地形・地質解析手法及び歴史的事実比較手法等により検証され必要に応じ地形・地質モデル等の修正を行いシミュレーション精度を高め、
シミュレーション結果を記憶手段に記憶するとともに、２次元又は３次元の静止画及び動画処理して表示手段に表示し、
当該一定範囲の地圏における過去から未来に至る４次元水循環状況の再現・解析・予測を行うようにしたことを特徴とする４次元水循環再現・解析・予測・可視化シミュレーションシステム。
【請求項３】
日本国土等の一定範囲の地圏における過去から未来までの水循環状況を再現・解析・予測・可視化するコンピュータを用いた４次元水循環再現・解析・予測・可視化シミュレーションシステムであって、
衛星画像データと現地実測データ及び既存公表されている地形・地質データとを用いて生成した一定範囲の地圏における地表、地下を含む３次元地形・地質モデルを記憶手段に記憶し、
要請される水問題解決のための解析課題の明確化の基に組まれたシミュレーションプログラムの実行によって、３次元地形・地質モデルの地下は飽和帯とする初期化処理を行って初期化モデルを生成し、
初期化モデルに対してシミュレーションプログラムの実行の基に、過去・近現代再現、及び未来予測のための気象、水文、地形、土地利用、地質、土砂、水利用、人工物、流体物性、化学物質特性に関する各種パラメータから選定される特定のパラメータの入力手段からの入力に応じて、演算手段による演算処理、画像生成処理手段による画像生成処理によって、地表水を含めた水・空気２相流動シミュレーションにより、陸水系における水の流れを詳細に表現する水・空気２相流解析機能、豪雨や破堤による洪水氾濫流を伴う地表水流動を解析する洪水氾濫解析機能、地上・地下地盤中における水相、空気相、汚染原液相の解析を行う多相流解析機能、流体相（水・ガス相）による熱移流、土壌・岩盤等の固相中の熱伝導を解析する水・熱連成解析機能、沿岸域における淡水と海水の相互作用（密度流）を考慮した流体挙動を解析する淡塩密度流解析機能、流域内で発生する汚濁物質と地上、地下における物質移動過程を詳細にシミュレートする反応性物質移行解析機能、放射性廃棄物・一般ごみ等廃棄物から発生するガスや埋設管漏えいガスの地下地盤中の移動挙動を解析する多成分ガス輸送解析機能、又は、山間地水源における地下水涵養機能の空間的、長期的な変化を解析する水・流砂連成解析機能のうちの前記特定のパラメータに対応した機能によるシミュレーションを実行し、
そのシミュレーション結果は数値解析手法や地形・地質解析手法及び歴史的事実比較手法等により検証され必要に応じ地形・地質モデル等の修正を行いシミュレーション精度を高め、
シミュレーション結果を記憶手段に記憶するとともに、２次元又は３次元の静止画及び動画処理して表示手段に表示し、
当該一定範囲の地圏における過去から未来に至る４次元水循環状況の再現・解析・予測・可視化を行うようにしたことを特徴とする４次元水循環再現・解析・予測・可視化シミュレーションシステム。
【請求項４】
日本国土等の一定範囲の地圏における過去から未来までの水循環状況を再現・解析・予測・可視化する４次元水循環再現・解析・予測・可視化シミュレーションシステムであって、
衛星画像データ、現地実測データ及び既存公表されている地形・地質データを用いて生成した一定範囲の地圏における地表、地下を含む３次元地形・地質モデルを記憶手段に記憶し、
要請される水問題解決のための解析課題の明確化の基に組まれたシミュレーションプログラムの実行によって、
３次元地形・地質モデルの地下は飽和帯とする初期化処理を行って初期化モデルを生成する処理と、
前記初期化モデルに対する過去・近現代再現、及び未来予測のための気象、水文、地形、土地利用、地質、土砂、水利用、人工物、流体物性、化学物質特性に関する各種パラメータの入力に応じて、当該一定範囲の地圏における過去から未来に至る４次元水循環状況の画像及び数値による再現・解析・予測・可視化を行う処理と、
過去から未来に至る４次元水循環状況の再現・解析・予測・可視化のシミュレーション結果の記憶処理と、
をコンピュータ実行可能としたこと、
を特徴とする４次元水循環再現・解析・予測・可視化シミュレーションシステム。
【請求項５】
日本国土等の一定範囲の地圏における過去から未来までの水循環状況を再現・解析・予測・可視化する４次元水循環再現・解析・予測・可視化シミュレーションシステムであって、
衛星画像データ、現地実測データ及び既存公表されている地形・地質データを用いて生成した一定範囲の地圏における地表、地下を含む３次元地形・地質モデルを記憶手段に記憶し、
要請される水問題解決のための解析課題の明確化の基に組まれたシミュレーションプログラムの実行によって、３次元地形・地質モデルの地下は飽和帯とする初期化処理を行って初期化モデルを生成する処理と、
前記初期化モデルに対する過去・近現代再現、及び未来予測のための気象、水文、地形、土地利用、地質、土砂、水利用、人工物、流体物性、化学物質特性に関する各種パラメータの入力に応じて、当該一定範囲の地圏における過去から未来に至る４次元水循環状況の画像及び数値による再現・解析・予測・可視化を行う処理と、
過去から未来に至る４次元水循環状況の再現・解析・予測・可視化のシミュレーション結果の記憶処理と、
をコンピュータ実行可能としたこと、
を特徴とする４次元水循環再現・解析・予測・可視化シミュレーションシステム。
【請求項６】
日本国土等の一定範囲の地圏における過去から未来までの水循環状況を再現・解析・予測する４次元水循環再現・解析・予測・可視化シミュレーションシステムであって、
衛星画像データ、現地実測データ及び既存公表されている地形・地質データを用いて生成した一定範囲の地圏における地表、地下を含む３次元地形・地質モデルを記憶手段に記憶し、
要請される水問題解決のための解析課題の明確化の基に組まれたシミュレーションプログラムの実行によって、３次元地形・地質モデルの地下は飽和帯とする初期化処理を行って初期化モデルを生成する処理と、
前記初期化モデルに対する過去・近現代再現、及び未来予測のための気象、水文、地形、土地利用、地質、土砂、水利用、人工物、流体物性、化学物質特性に関する各種パラメータのうちの特定のパラメータの入力に応じて、当該一定範囲の地圏における地表水を含めた水・空気２相流動シミュレーションにより、陸水系における水の流れを詳細に表現する水・空気２相流解析機能、豪雨や破堤による洪水氾濫流を伴う地表水流動を解析する洪水氾濫解析機能、地上・地下地盤中における水相、空気相、汚染原液相の解析を行う多相流解析機能、流体相（水・ガス相）による熱移流、土壌・岩盤等の固相中の熱伝導を解析する水・熱連成解析機能、沿岸域における淡水と海水の相互作用（密度流）を考慮した流体挙動を解析する淡塩密度流解析機能、流域内で発生する汚濁物質と地上、地下における物質移動過程を詳細にシミュレートする反応性物質移行解析機能、放射性廃棄物・一般ごみ等廃棄物から発生するガスや埋設管漏えいガスの地下地盤中の移動挙動を解析する多成分ガス輸送解析機能、又は、山間地水源における地下水涵養機能の空間的、長期的な変化を解析する水・流砂連成解析機能のうちの前記特定のパラメータに対応した機能によるシミュレーションを実行し、そのシミュレーション結果は数値解析手法や地形・地質解析手法及び歴史的事実比較手法等により検証され必要に応じ地形・地質モデル等の修正を行いシミュレーション精度を高める処理と、
過去から未来に至る４次元水循環状況の画像及び数値による再現・解析・予測・可視化を行う処理と、
過去から未来に至る４次元水循環状況の再現・解析・予測・可視化のシミュレーション結果の記憶処理とともに２次元又は３次元の静止画及び動画処理して表示手段に表示する処理と、
をコンピュータ実行可能としたこと、
を特徴とする４次元水循環再現・解析・予測・可視化シミュレーションシステム。
【発明の詳細な説明】
【技術分野】
【０００１】
本発明は、陸域で生じる様々な水問題において要請される実用的、かつ、客観的で、地上及び地下の水の流れを一体化して把握し再現・解析・予測・可視化できる４次元水循環再現・解析・予測・可視化シミュレーションシステムに関するものである。
【背景技術】
【０００２】
水圏から大気圏を通し地圏に輸送された水（水蒸気或いは微細な液滴）は淡水陸水（河川・湖沼などの表流水と地下水）となり、現代社会に不可欠の水資源を供給するとともに、水・土砂災害を引き起こす主体ともなる。
【０００３】
気候変動などが予測される中、今後の国・自治体の行政による水マネジメント（水管理、水制御）には、表流水と地下水の統合管理（利用・保全・防災）の考え方や地域に応じたシステム構築が求められている。
【０００４】
表流水と地下水は、前者がその状態を人間の目で確認できる利点があるが、海に向かう流下速度が速く陸上に留まる時間が短いためダムなどの大規模貯留施設を必要とする短所があり、後者は地下の状態を人間の目で確認できないという不確定性に伴う短所（不安・敬遠要因）があるが、大規模な人工物を基本的に必要とせず、海へ向かう流下速度が遅いため陸上での滞留時間が長く自然貯留に近似している長所がある。将来の気候変動などにより気象の不安定さが増大していくことが予想されるなか、表流水と地下水を一体的に把握し、管理・保全し融合的な利用が、日本のみならず世界各地の持続可能な社会の形成上重要な課題となっていく。
【０００５】
この種の水循環に関連する技術として、例えば特許文献１には、空から河川改修工事の対象となる河川を含む地域を航空撮影した撮影データと既知の三次元の地形データとから三次元の河川形状データとして抽出データを抽出し、更に、抽出データに対して河床修正や改修工法を反映させ、計算座標データを求め、二次元浅水流方程式を適用して水理データを算出し、河川及びその周辺環境を再現するように構成した河川環境シミュレーション装置が提案されている。
【０００６】
しかしながら、特許文献１の場合、河川及びその周辺環境を再現するように構成したものであり、陸域で生じる様々な水問題（水資源、水環境、水災害）において要請される実用的、かつ、客観的で、地上及び地下の水の流れを一体化して把握し再現・解析・予測・可視化し得るものではない。
【先行技術文献】
【特許文献】
【０００７】
【特許文献１】特開２００３−１４７７４５号公報
【発明の概要】
【発明が解決しようとする課題】
【０００８】
本発明が解決しようとする問題点は、陸域で生じる様々な水問題（水資源、水環境、水災害）において要請される実用的、かつ、客観的で、地上及び地下の水の流れを一体化して把握し再現・解析・予測・可視化できるシミュレーションシステムが従来存在しない点である。
【課題を解決するための手段】
【０００９】
本発明は、日本国土等の一定範囲の地圏における過去から未来までの水循環状況を再現・解析・予測・可視化する４次元水循環再現・解析・予測・可視化シミュレーションシステムであって、明確化された解決されるべき水問題の課題に対応したシミュレーションの実行は、衛星観測データ・現地実地調査データ・既存公表データなどを使用し、その解析の実証は水質・水量数値分析手法、地形・地質解析手法及び対象地圏の水循環にかかわる歴史的事実比較解析手法で行われ、シミュレーションの解析結果は２次元、３次元の静止画及び動画に可視化処理される。
本発明の４次元水循環再現・解析・予測・可視化シミュレーションシステムは、衛星観測画像データ・現地観測データ・既存公表データの地形・地質データを用いて生成した一定範囲の地圏における地表、地下を含む３次元地形・地質モデルを記憶手段に記憶し実行され、３次元地形・地質モデルの地下は飽和帯とする初期化処理を行って初期化モデルを生成し、初期化モデルに対してシミュレーションプログラムの実行の基に、過去・近現代再現、及び未来予測のための各種パラメータの入力手段からの入力に応じて、演算手段による演算処理、画像生成処理手段による画像生成処理によるシミュレーションを実行し、シミュレーション結果を記憶手段に記憶するとともに、２次元及び３次元の静止画及び動画に可視化処理されたものは表示手段に表示し、当該一定範囲の地圏における過去から未来に至る４次元水循環状況の再現・解析・予測・可視化を行うようにしたことを最も主要な特徴とする。
【発明の効果】
【００１０】
請求項１乃至３記載の発明によれば、過去における地域本来の自然状態での水循環（表流水・地下水、海水）を再現したり、現在における水循環（表流水・地下水、海水）状態、都市排水、農業用水、海水淡水化、化学物質等の水循環の状況を解析、推定したり、未来における水循環（表流水・地下水、海水）状態を予測し推定することが可能となり、これらの解析結果を可視化することにより、国土の適正な水利用の長期政策の決定に貢献し、一定地域で生じる様々な水問題（水資源、水環境、水災害）を巡り錯綜する関係者間の合意形成を可能にする４次元水循環再現・解析・予測・可視化シミュレーションシステムを実現し提供することができる。
【００１１】
請求項４乃至６記載の発明によれば、衛星画像データ、現地実測データ及び既存公表されている地形・地質データを用いて生成した一定範囲の地圏における地表、地下を含む３次元地形・地質モデルを記憶手段に記憶し、要請される水問題解決のための解析課題の明確化の基にコンピュータに組み込まれたシミュレーションプログラムの実行によって、請求項１乃至３記載の発明の場合と同様、過去における地域本来の自然状態での水循環（表流水・地下水、海水）を再現したり、現在における水循環（表流水・地下水、海水）状態、都市排水、農業用水、海水淡水化、化学物質等の水循環の状況を解析、推定したり、未来における水循環（表流水・地下水、海水）状態を予測し推定することが可能となり、これらの解析結果を可視化することにより、国土の適正な水利用の長期政策の決定に貢献し、一定地域で生じる様々な水問題（水資源、水環境、水災害）を巡り錯綜する関係者間の合意形成を可能にする４次元水循環再現・解析・予測・可視化シミュレーションシステムを実現し提供することができる。
【図面の簡単な説明】
【００１２】
【図１】図１は本発明の実施例に係る４次元水循環再現・解析・予測・可視化シミュレーションシステムの構成概念を示す概略ブロック図である。
【図２】図２は本発明の実施例に係る４次元水循環再現・解析・予測・可視化シミュレーションシステムの構成を示す概略ブロック図である。
【図３】図３は本実施例に係る４次元水循環再現・解析・予測シミュレーションシステムにおける気象、水文、地形等の各種項目に関する大量のデータの項目を示す説明図である。
【図４】図４は本実施例に係る４次元水循環再現・解析・予測・可視化シミュレーションシステムを構成するシミュレーション実行による３次元地形モデル流域水循環モデルの領域初期化処理の概念図である。
【図５】図５は本実施例に係る４次元水循環再現・解析・予測・可視化シミュレーションシステムを構成するシミュレーションにおける領域初期化処理実行による不飽和帯の発達過程、地表水の出現形成過程、及び地表及び地下の流線軌跡の概念図である。
【図６】図６は本実施例に係る４次元水循環再現・解析・予測・可視化シミュレーションシステムを構成するシミュレーションの洪水氾濫解析機能による記録豪雨等の実降雨データを用いた洪水氾濫流れ及び河川堤防決壊によるゼロメートル地帯氾濫域シミュレーション事例を示す概略図である。
【図７】図７は本実施例にかかる４次元水循環再現・解析・予測・可視化シミュレーションシステムを構成するシミュレーションの多相流解析機能による飽和・不飽和地盤内における水より比重の大きな汚染原液の地下浸透の解析例を示す概略図である。
【図８】図８は本実施例に係る４次元水循環再現・解析・予測・可視化シミュレーションシステムを構成するシミュレーションにおける淡塩密度流解析機能による沿岸域の塩水侵入シミュレーション事例を示す概略図である。
【図９】図９は本実施例に係る４次元水循環再現・解析・予測・可視化シミュレーションシステムを構成するシミュレーションにおける反応性物質移行解析機能による湖沼へ流入する河川とその流域からのインパクトを解析した事例を概念的に示す図である。
【図１０】図１０は本実施例にかかる４次元水循環再現・解析・予測・可視化シミュレーションシステムを構成するシミュレーションにおける多成分ガス輸送解析機能における原位置実験系における人工バリア中のガス移行挙動の三次元シミュレーション事例を示す概略図である。
【図１１】図１１は本実施例に係る４次元水循環再現・解析・予測・可視化シミュレーションシステムを構成するシミュレーションにおける水・流砂連成解析機能による水・流砂・地盤床変動連成系の概念及び人工降雨による斜面流、浸食、土砂移動、堆積がリーフ状の地形起伏形成状態を概念的に示す概略図である。
【図１２】図１２は本実施例に係る４次元水循環再現・解析・予測・可視化シミュレーションシステムを構成するシミュレーションプログラムが対象とする地域圏の水循環モデルの物理的概念を示す説明図である。
【図１３】図１３は本実施例に係る４次元水循環再現・解析・予測・可視化シミュレーションシステムを構成するシミュレーションの水・空気２相流解析機能を使用して解析した日本列島全体の人為が加わらない以前の自然状態の表流水と地下水を一体とした水循環の原風景を示す概略図である。
【図１４】図１４は本実施例に係る４次元水循環再現・解析・予測・可視化シミュレーションシステムを構成するシミュレーションの水・空気２相流解析機能を使用して解析した関東地方の人為が加わらない以前の自然状態の表流水と地下水を一体とした水循環の原風景を示す概略図である。
【図１５】図１５は４次元水循環再現・解析・予測・可視化シミュレーションシステムを構成するシミュレーション解析実証の歴史的事実比較解析手法の一例を示す現在及び６０００年前の縄文時代の関東地方の地形の陰影図である。
【図１６】図１６は本実施例に係る４次元水循環再現・解析・予測・可視化シミュレーションシステムを構成する水・空気２相流解析機能を使用して解析した相模湾、駿河湾領域の表流水と地下水及び湧水等の人為が加わらない以前の自然状態の水循環を示す概略図である。
【図１７】図１７は４次元水循環再現・解析・予測・可視化シミュレーションシステムを構成するシミュレーション解析の実証の水質・水量数値分析手法の一例を示すものであり、駿河湾沿岸域において数多くの測定ポイントで、深さ方向に海水を採取し、海水塩分濃度・水温・濁度・電気伝導度及びＤＯ（溶存酸素量）の水質分析データを示す説明図である。
【図１８】図１８は本実施例に係る４次元水循環再現・解析・予測・可視化シミュレーションシステムを構成するシミュレーションの水・空気２相流解析機能を使用して解析した、濃尾平野における人為が加わらない以前の自然状態の表流水と地下水一体の水循環の概略図である。
【図１９】図１９は本実施例に係る４次元水循環再現・解析・予測・可視化シミュレーションシステムを構成するシミュレーションの水・空気２相流解析機能を使用して解析した濃尾平野の２１世紀の現在の表流水と地下水一体の水循環の概略図である。
【図２０】図２０は本実施例に係る４次元水循環再現・解析・予測・可視化シミュレーションシステムを構成するシミュレーションの多相流解析機能を使用して工場やオイルタンクから地下水に油分、重金属、熱溶解性物質が流れる状態をシミュレーションする場合を概念的に示す概略図である。
【図２１】図２１は本実施例に係る４次元水循環再現・解析・予測・可視化シミュレーションシステムを構成するシミュレーションプログラムの反応性物質移行解析機能を使用して難透水槽から地下水面へのトリクロロエチレン（難溶解性）、ベンゼン（溶解性）浸透状態をシミレーションした概略図である。
【図２２】図２２は本実施例に係る４次元水循環再現・解析・予測・可視化シミュレーションシステムを構成するシミュレーションの反応性物質移行解析機能を使用して解析した、ある地域の２箇所の汚染源からの農薬汚染の状態をシミレーションした概略図である。
【図２３】図２３は本実施例にかかる４次元水循環再現・解析・予測・可視化シミュレーションシステムを構成するシミュレーションの処理の流れを示す概略フローチャートである。
【発明を実施するための形態】
【００１３】
本発明は、陸域で生じる様々な水問題（水資源、水環境、水災害）において解決が要請される各種の課題を明確化し、実用的かつ客観的に実証可能な表流水及び地下水の流れを一体化して把握し再現・解析・予測・可視化できるシミュレーションシステムを実現し提供するという目的を、日本国土等の一定範囲の地圏における過去から未来までの水循環状況を再現・解析・予測・可視化するコンピュータを用いた４次元水循環再現・解析・予測・可視化シミュレーションシステムであって、衛星画像データと現地実測データ及び既存公表されている地形・地質データとを用いて生成した一定範囲の地圏における地表、地下を含む３次元地形・地質モデルを記憶手段に記憶し、要請される水問題解決のための解析課題の明確化の基に組まれたシミュレーションプログラムの実行によって、３次元地形・地質モデルの地下は飽和帯とする初期化処理を行って初期化モデルを生成し、初期化モデルに対してシミュレーションプログラムの実行の基に、過去・近現代再現、及び未来予測のための気象、水文、地形、土地利用、地質、土砂、水利用、人工物、流体物性、化学物質特性に関する各種パラメータの入力手段からの入力に応じて、演算手段による演算処理、画像生成処理手段による画像生成処理によるシミュレーションを実行し、そのシミュレーション結果は水質・水量数値解析手法や地形・地質解析手法及び歴史的事実比較手法等により検証され必要に応じ地形・地質モデル等の修正を行いシミュレーション精度を高め、シミュレーション結果を記憶手段に記憶するとともに、２次元又は３次元の静止画及び動画処理して表示手段に表示し、当該一定範囲の地圏における過去から未来に至る４次元水循環状況の再現・解析・予測・可視化を行う構成により実現した。
【実施例】
【００１４】
以下、本発明の実施例に係る４次元水循環再現・解析・予測・可視化シミュレーションシステムについて詳細に説明する。
【００１５】
本実施例に係る４次元水循環再現・解析・予測・可視化シミュレーションシステムは、図１に示すように、４次元水循環再現・解析・予測・可視化シミュレーションシステムを構成する４次元水循環再現・解析・予測シミュレーション（以下「シミュレーション」という）は、そのシミュレーションが要請される水問題解決のための課題の明確化の基にシミュレーションプログラムが組まれ、シミュレーションに必要なデータは衛星画像データ、現地実測データ、既存公表データ等で構成される多数のデータが収集インプットされ、そのシミュレーション結果は水質・水量数値解析手法や地形・地質解析手法及び歴史的事実比較手法等により検証され、実際と解析結果の齟齬が発生した場合は再度、シミュレーションプログラムにおける地形・地質モデル等の修正を行い、対象地域の水循環を正確に再現することを実現する。  更に、このシミュレーション解析結果は２次元又は３次元の静止画及び動画に処理され、今まで人間が目にできなかった地下水を含む解析対象地域の水循環の可視化を実現していく。
【００１６】
本実施例に係る４次元水循環再現・解析・予測・可視化シミュレーションシステムを構成するシミュレーションは、図２に示すように、４次元水循環再現・解析・予測シミュレーションプログラム（以下「シミュレーションプログラム」という）を格納したプログラムメモリ１２と、全体の制御を行うとともにシミュレーションプログラムに基づく各種処理の制御を行う制御部１１と、４次元水循環再現・解析・予測処理に必要な各種データを収集蓄積するデータベース１３と、シミュレーションプログラムに基づき４次元水循環再現・解析・予測処理に必要な各種演算を実行する演算部１４と、シミュレーションプログラムに基づくシミュレーション処理に応じた画像生成処理を行う画像生成処理部１５と、シミュレーションプログラムに基づくシミュレーション結果を記憶するシミュレーション結果記憶部１６と、データ入力用のキーボード１７、マウス１８と、データ出力用のカラープリンタ１９、表示部２０と、を有している。
【００１７】
前記データベース１３には、４次元水循環再現・解析・予測処理を実行するために、図３に示すように、気象、水文、地形等の各種データ項目に関する大量のデータが収集蓄積される。前記データには遠い過去から近現代、更には未来予測に関する気象、水文等に関するデータが含まれる。
【００１８】
この場合、各種項目に関する大量のデータの収集蓄積は、衛星画像データや実際の現地調査データや公開されている既存の水文水質データベース、気象データベース等の外部データベースや、理科年表等の公知文献等から行うことができる。
【００１９】
次に、前記シミュレーションプログラムにおける４次元水循環再現・解析・予測処理に関する機能について詳述する。
【００２０】
前記シミュレーションプログラムは、東京大学登坂博行教授、株式会社地圏環境テクノロジー提供のGETFLOWS（GEneral purpose Terrestrial fluid-FLOW Simulator）：登録商標）を採用している。
このGETFLOWSは、本実施例に係る４次元水循環再現・解析・予測・可視化シミュレーションシステムを構成する基幹技術であり、既に技術的に確立しているものである。
【００２１】
前記シミュレーションプログラムは、地圏流体モデリングと数値シミュレーションを行うプログラムであり、陸域における水循環システムを多相多成分流体系として定式化し、従来困難であった地上及び地下の水の流れを一体化させた点に特徴がある。
【００２２】
すなわち、一般的な地下水解析、河川流出解析、洪水・氾濫解析、地表水・地下水の相互作用解析、汚染物質を含む移流分散解析、油層解析、熱解析などを行う。
【００２３】
前記シミュレーションプログラムは、地表水を含めた水・空気２相流動シミュレーションにより、陸水系における水の流れを表現する水・空気２相流解析機能、豪雨や破堤による洪水氾濫流を伴う地表水流動を解析する洪水氾濫解析機能、地上・地下地盤中における水相、空気相、汚染原液相の解析を行う多相流解析機能、流体相（水・ガス相）による熱移流、土壌・岩盤等の固相中の熱伝導を解析する水・熱連成解析機能、沿岸域における淡水と海水の相互作用（密度流）を考慮した流体挙動を解析する淡塩密度流解析機能、流域内で発生する汚濁物質と地上、地下における物質移動過程をシミュレートする反応性物質移行解析機能、反応性物質移行解析機能、放射性廃棄物・一般ごみ等廃棄物から発生するガスや埋設管漏えいガスの地下地盤中の移動挙動を解析する多成分ガス輸送解析機能、及び山間地水源における地下水涵養機能の空間的、長期的な変化を解析する水・流砂連成解析機能を主要な要素としている。
【００２４】
本実施例に係る４次元水循環再現・解析・予測・可視化シミュレーションシステムの基本的な処理の流れは、図２３に示すようにデータベース１３に蓄積した衛星画像と既存の地形データとを用いて演算部１４、画像生成処理部１５の動作により一定範囲の地圏における地表、地下を含む３次元地形・地質モデルを生成してデータベース１３に記憶し、次に、前記シミュレーションプログラムにより、３次元地形・地質モデルの地下は飽和帯とする初期化処理を行って初期化モデルを生成してシミュレーション結果記憶部１６に記憶し、前記初期化モデルに対する過去・近現代再現、及び未来予測のための気象、水文、地形、土地利用、地質、土砂、水利用、人工物、流体物性、化学物質特性に関する各種パラメータの前記キーボード１７等からの入力に応じて、演算部１４、画像生成処理部１５の動作により当該一定範囲の地圏における過去から未来に至る４次元水循環状況の画像及び数値による再現・解析・予測を行い、シミュレーション結果記憶部１６に記憶し、必要に応じて表示部２０に表示し、カラープリンタ１９によりプリント出力するものである。
【００２５】
前記シミュレーションプログラムに含まれる諸機能について以下に詳述する。
【００２６】
（１）水・空気２相流解析機能は、地表水を含めた水・空気２相流動シミュレーションにより、陸水系における水の流れを詳細に表現する。また、陸水系における流体分布の初期状態は領域初期化により再現し、そこで生じる様々な現象を解析する。
【００２７】
水・空気２相流解析機能における地形・地質、蛇行した河道・河床地形、人工物などの複雑な空間表現は、コーナーポイント型差分格子と呼ばれる任意ジオメトリの６面体格子により柔軟にモデル化が可能としている。また、地形・地質モデルデータの1つ1つの格子毎あるいは格子の面毎に物性データを与えることができるため、トンネル壁面、シートや壁状の人工構造物、異方性地盤等の表現が容易に行えるものである。
【００２８】
水・空気２相流解析機能の適用分野としては、地表水・地下水の相互作用解析（河川瀬切れ、湧水・涵養、河川の維持流量評価、水資源利用計画の適正化など）、河川流出解析、飽和・不飽和浸透流解析
、トンネル、ダム、遊水地、地下構造物等の建設工事による環境影響評価、水資源賦存量予測、揚水計画の適正化等の例を挙げることができる。
【００２９】
図４上欄に３次元地形モデルの領域初期化処理の概念図を示す。
【００３０】
次に図４中欄に示すように、一定量の降水量（地下水涵養量と同じ１〜２ｍｍ／日）を入力して計算を開始する。これにより、地表面に空気と水が浸入し、水より重い塩水が少しずつ海や川へ押し出されていく様子が得られる。
【００３１】
次に、図４下欄に示すように、数万年程度にわたる計算により、ほぼ現在と同程度の塩水、地下水位、河川流量などの水の分布が計算できる。そして、降雨と地下水位、地下水流出がバランスする状態が得られる。以上で実際の降水量データを用いた計算を実行する準備が完了する。
【００３２】
次に、領域初期化シミュレーションを実行し、地形・地質等の格子を作成し、透水係数等の水理パラメータを格子に設定し、計算を開始する。まず、流域水循環モデルの格子を塩水で満たす（初期条件）。
【００３３】
図５に領域初期化シミュレーションにより得られた不飽和帯の発達過程、地表水の出現形成過程、地表及び地下の流線軌跡概念図を示す。
【００３４】
（２）洪水氾濫解析機能は、豪雨や破堤による洪水氾濫流を伴う地表水流動シミュレートする機能である。
【００３５】
前記シミュレーションプログラムでは、運動方程式の慣性項や速度項を省略した拡散波近似によって地表流動を解析し、様々な豪雨パターンや破堤条件に対して、大きな水の動きを安定、かつ、高速に追跡することができるようにしている。
河川等氾濫域や氾濫水量を予測することで、都市部の排水設計や災害時の避難計画の策定を支援するツールとなる。
【００３６】
また、地盤内の地下水（空気も含めて）と同時に解くため、豪雨時の急激な地下水位上昇と内水氾濫を表現し、その発生地点や浸水域・浸水量を予測することができる。
シミュレーションによって得られる数値情報は、氾濫範囲・水量、圧力、ポテンシャル、水深・水位、流速等である。
【００３７】
図６に記録豪雨等の実降雨データを用いた洪水氾濫流れ及び河川堤防決壊によるゼロメートル地帯氾濫域シミュレーション事例の概念図を示す。
【００３８】
洪水氾濫解析の適用分野としては、豪雨時の浸水域予測、内水氾濫、河川堤防決壊後の氾濫域予測、低平農地における湛水被害域の予測と暗渠・ポンプ等排水対策の効果検討、沿岸域における高潮氾濫及び記録豪雨による内水氾濫の浸水範囲予測等の例を挙げることができる。
【００３９】
（３）多相流解析機能は、地上・地下地盤中における水相、空気相、汚染原液相（非水溶性流体Non-Aqueous Phase Liquid：NAPL）の多相同時流れを実用レベルの３次元ソルバーにより解析するものである。
【００４０】
前記汚染原液相は、有機溶剤や炭化水素系の非水溶性流体を対象とし、物質毎の流体物質（比重、粘性係数など）を詳細に与えることができる。
【００４１】
地盤中のNAPL相の移動し易さ（可動性：Mobility）は、油層シミュレーション等で一般的なStone（1970、1973）やParker（1987）他の３相流パラメータ（相対浸透率曲線）を与え、流体相の相互置換挙動を追跡することができる。
【００４２】
また、NAPL相が不飽和帯の空気や地下水と接触することで生じる揮発・溶解（相間移動）や、不飽和帯中あるいは水相中での物質移動を同時に考慮することができる。
シミュレーションによって得られる数値情報は、地下水相中の汚染物質濃度、ガス相中の汚染物質濃度、水相・ガス相・NAPL相の飽和度、圧力、ポテンシャル、水深・水位や流速等である。
【００４３】
図７に飽和・不飽和地盤内における水より比重の大きな汚染原液（DNAPL）の地下浸透の解析例を示す。汚染原液相から地下水相への溶解と移流分散過程を考慮した多相多成分系を対象とした２０日後、１００日後のシミュレーション事例の概念図である。
【００４４】
多相流解析の適用分野としては、重金属、NAPL等による地下水・土壌汚染サイトの汚染範囲変化の予測、各種対策工（揚水、バリア井戸、止水壁、エアスパージング、土壌ガス吸引、バイオレメディエーション等）の効果検討と選定、河川や水辺環境における漏えい有害物質の挙動予測・リスクアセスメント、石油・ＬＰＧ等のエネルギー地下備蓄施設における各種設計解析・環境影響予測などである。
【００４５】
（４）淡塩密度流解析機能は、沿岸域における淡水と海水の相互作用（密度流）を考慮した流体挙動をシミュレートする。
【００４６】
前記シミュレーションプログラムでは、通常、陸域と海域の双方をモデル化し、海域には陸域地形と連続した海底地形を直接組み込む。そして、海水は塩分を含んだ地表水として表現し、海底の地下水と同時に解かれる。
【００４７】
地表水、地下水を区別することなく、いずれも水相中に含まれる塩分量の相違によって、沿岸域に形成される淡塩漸移帯とその周囲に生じる密度流を解析することが可能である。
【００４８】
また、潮汐や海水準変動による海水位の動的変化を考慮することで、陸域で生じる影響圏や水位応答の距離減衰を解析するなどして、地下地盤物性分布を同定することが可能となる。
【００４９】
沿岸域での水資源開発では、井戸による海水の引き込みや揚水の塩分濃度変化を再現・予測し、各種水質基準を考慮した適正揚水量の評価等を行う。シミュレーションによって得られる数値情報は、塩分濃度、水相・ガス相の飽和度、圧力、ポテンシャル、水深・水位、流速等である。
【００５０】
淡塩密度流解析の適用分野としては、淡塩漸移帯を伴う密度流問題、潮汐・海水準変動解析、沿岸域地下ダム建設にともなう水環境影響評価、離島淡水レンズ水資源量予測等である。
【００５１】
図８に沿岸域における塩水侵入シミュレーション事例の概念図を示す。
地形、地層分布、降水、海水位変化等の自然条件とバランスする塩淡漸移帯を解析したものである。
【００５２】
（５）反応性物質移行解析機能は、流域内で発生する汚濁物質と地上、地下における物質移動過程を詳細にシミュレートする。
【００５３】
汚濁負荷の発生は、都市域における生活排水や事業所排水、農地への施肥や畜産糞尿に関するものなど多岐にわたる。
【００５４】
発生源や汚濁物質の違いによっても、分解・反応過程や地下への侵入経路、その後の移動形態は様々である。
【００５５】
前記シミュレーションプログラムでは、点源、非特定排出源からの様々な汚濁物質について、分解・化学反応による物質の動態変化を考慮しながら、河川輸送、地盤内侵入、収着・脱離、移流分散等の物質移動過程を取り込んだより自然な物理モデルを実現し提供する。
【００５６】
これによって、従来の巨視的な視点から汚濁負荷量を強制的に与える原単位法では困難であった遅延現象やその他の物質移動過程の詳細なメカニズムを知る手掛かりを得ることができる。
【００５７】
シミュレーションによって得られる数値情報は、各物質の水中における濃度、固相中の濃度、水相・ガス相の飽和度、圧力、ポテンシャル、水深・水位、流速等である。
【００５８】
反応性物質移行解析の適用分野としては、硝酸態窒素汚染、閉鎖性水域への汚濁負荷量予測、放射性廃棄物の地層処分システム性能評価（核種移行・被爆線量評価）等である。
【００５９】
図９に湖沼へ流入する河川とその流域からのインパクトをシミュレーションによって解析した事例の概念図を示す。
【００６０】
（６）多成分ガス輸送解析機能は、放射性廃棄物・一般ごみ等廃棄物から発生するガスや埋設管漏えいガスの地下地盤中の移動挙動を詳細にシミュレートする。
【００６１】
地盤中のガス移動は、水・空気２相流動シミュレーションと同様に一般化ダルシー則によって記述され、間隙圧の蓄積・上昇に伴って生じる溶解・遊離、媒体の空隙変形と浸透率の増加等の浸透パラメータの圧力依存の動的変化を考慮した解析が可能となる。
【００６２】
また、ガス相に含まれる物質成分（付臭剤やトレーサ）が各種相変化や吸着・脱離を伴いながら移動する等、フィールド条件や試験系に応じた詳細解析が可能となる。
【００６３】
シミュレーションによって得られる数値情報は、水相・ガス相の飽和度、水相・ガス相中の物質濃度、圧力、ポテンシャル、水深・水位、流速等である。
【００６４】
多成分ガス輸送解析の適用分野としては、埋設管損傷部からの漏えいガス拡散移動、放射性廃棄物や金属容器腐食により生じるガスの移行挙動、二酸化炭素地中処分におけるＣＯ２圧入・溶解とキャップロックによる封じ込め性能解析等である。
【００６５】
図１０に原位置実験系における人工バリア中のガス移行挙動の三次元シミュレーション事例の概念図を示す。
模擬廃棄体から発生したガスが間隙水中に溶解し・移動するプロセスを追跡・再現する状態を概念的に示している。
【００６６】
（７）水・流砂連成解析機能は、地表水、地下水を一体化した流動モデルと流砂輸送モデルをカップリングし、山間地水源における地下水涵養機能の空間的、長期的な変化を解析するものである。
【００６７】
考慮できる水文素過程は、地表水、地下水流動、地表水・地下水相互作用（河川の伏没や湧水等）、掃流砂移動、浮遊砂移動（移流及び乱流拡散）、沈降・巻き上げ、土砂輸送による地形変化（侵食・堆積）、地形変化によって生じる流況変化である。
【００６８】
図１１に水・流砂・地盤床変動連成系の概念及び人工降雨による斜面流、浸食、土砂移動、堆積がリーフ状の地形起伏形成状態を概念的に示している。
前記シミュレーションプログラムよるシミュレーションによって得られる数値情報は流体相毎（水相・ガス相）の飽和度、圧力、ポテンシャル、流速、地形標高、浮遊砂濃度や土砂フラックス等である。
【００６９】
水・流砂連成解析の適用分野としては、水流による地形変化の解析、山間地水源域の治山管理、統合型水資源管理（IWRM：Integrated Water Resources Management）、総合土砂管理計画の策定等である。
【００７０】
図１２は、前記シミュレーションプログラムが対象とする地域の水循環モデルの物理的概念を示すものである。
【００７１】
次に、本実施例に係る４次元水循環再現・解析・予測・可視化シミュレーションシステムの具体的活用例について説明する。
【００７２】
図１３は、日本列島全体の水循環モデルを示し、陸域・沿岸水循環の大局構造を捉えたものである。これは、陸域及び沿岸海洋部を平面的に１ｋｍオーダーのグリッドに分割し、地形及び大まかな地質状況を入力した３次元モデルによるシミュレーションの結果である。
【００７３】
このスケールの格子システムの計算では、大地形による地表や地下の流動系の構造推定、広域の水資源量評価、温暖化による地下水淡水資源量の変化の予測、潜在水力発電ポテンシャルなどの全国概要評価を目的としたものである。
【００７４】
また、このモデルには海底地形が反映され、海域の塩水条件が反映されており、陸域周辺の沿岸海底での地下水湧出の様子も表現できる。
【００７５】
図１４は、本実施例に係る４次元水循環再現・解析・予測・可視化シミュレーションシステムを構成するシミュレーションの水・空気２相流解析機能を使用して関東地方を中心とする日本列島中央部において長期平衡計算を行い得られた圧力分布、飽和率分布から流速場を計算し、降雨による水滴が地表面から浸透し湧出する３次元的軌跡を天空からみた正射影として描いたものである。
【００７６】
この図１４は人為が加わらない以前の利根川の水循環の原風景を示しており、利根川の表流水及び地下水の流れは、千葉県の銚子に向かわず東京湾に向かっている。これは１６０４年に徳川家康が江戸湾に流れ込んでいた利根川を銚子へ向ける工事を開始し、１６２１年に利根川は太平洋に向かって流れ出したのであり、自然状態の利根川の流れの原風景は東京湾に注ぎ込んでいる図１４の水循環のようになることが正しい。
【００７７】
図１５の左図は、現在の関東の地形を示す陰影図であり、右図は６，０００年前の関東の地形を示す陰影図である。６，０００年前の縄文前期は海面が約５ｍ上昇していた縄文海進時代であり、図１５の右図は左図の海面をコンピュータで５ｍ上昇させたものであり、縄文時代には海が関東の奥深くまで浸入していたことが明瞭に表されている。関東平野の海の浸入の先端の現在の関宿付近で陸地が繋がっていて、利根川はここで流れの方向を南に変えて東京湾に流れ込んでいたことが明瞭である。
このような歴史的事実比較検証手法によって上記シミュレーション解析の結果は人為が加わらない以前の関東の水循環の原風景を示していると実証でき、４次元水循環再現・解析・予測・可視化シミュレーションシステムが客観的で正確な水循環を社会に提供していくことが可能となる。
【００７８】
図１６は、本実施例に係る４次元水循環再現・解析・予測・可視化シミュレーションシステムを構成するシミュレーションの水・空気２相流解析機能を使用して解析した、相模湾、駿河湾領域の表流水と地下水一体の水循環の結果である。地表面に入力された降雨粒子が地下に浸透し、相模湾、駿河湾で多数の海底湧水となっていくことが解析の結果が示している。
【００７９】
図１７は、静岡大学の加藤憲二教授によって行われた、上記シミュレーション解析結果の正確性の実証のため、駿河湾沿岸域において数多くの測定ポイントで、深さ方向に海水を採取し、海水塩分濃度・水温・濁度・電気伝導度及びＤＯ（溶存酸素量）の測定データを示すものである。この水質分析結果のＳｔ．Ｔ１−８Ｇ測定ポイントにおいて、海底９６ｍ地点で海水の塩分濃度が淡水に近いことが確認され、更にそのＤＯはゼロという数値を得た。それは富士山からの地下水が深く駿河湾に入り込みゆっくり海に向かって流下する間に水に含まれていた酸素がバクテリアに捕食されゼロになったことを示している。
【００８０】
このような数値の水質・水量分析手法によって、上記シミュレーションの地下水解析の結果は正しことが実証でき、４次元水循環再現・解析・予測・可視化シミュレーションシステムが客観的で正確な水循環の姿を社会に提供していくことが可能となる。
【００８１】
上述した数値の水質・水量分析手法は、本実施例に係る４次元水循環再現・解析・予測・可視化シミュレーションシステムを構成する実証分析手法の一つである。
【００８２】
図１８は本実施例に係る４次元水循環再現・解析・予測・可視化シミュレーションシステムを構成するシミュレーションの水・空気２相流解析機能を使用して解析した、濃尾平野における人為が加わらない以前の自然状態の表流水と地下水一体の水循環の解析結果である。濃尾平野の自然状態では、地表面を表流水が網の目のように流れ、一帯が湿地帯であった解析結果となっており、数百年前の濃尾平野の人々の生活形態は住居を堤防で囲う輪中堤であったことがこの結果からも明らかになってくる。
【００８３】
図１９は本実施例に係る４次元水循環再現・解析・予測・可視化シミュレーションシステムを構成するシミュレーションの水・空気２相流解析機能を使用して解析した濃尾平野の２１世紀の現在の表流水と地下水一体の水循環の解析結果である。近世から近代にかけて人為的な堤防が造られ、表流水の河川は堤防の中に押し込められており、地下水はそれらの下を密度濃く流下している解析結果となっている。図１８、図１９の比較によって数百年の人為の営みが、自然の水循環を変質させていることが示されており、４次元水循環再現・解析・予測・可視化シミュレーションシステムが長期の歴史的現象を再現していることを明瞭に実証している。
【００８４】
図２０は、本実施例に係る４次元水循環再現・解析・予測・可視化シミュレーションシステムを構成するシミュレーションの多相流解析機能を使用して工場やオイルタンクから地下水に油分、重金属、熱溶解性物質が流れる状態を解析する場合を概念的に示すものである。
【００８５】
図２１は、本実施例に係る４次元水循環再現・解析・予測・可視化シミュレーションシステムを構成するシミュレーションの反応性物質移行解析機能を使用して難透水槽から地下水面へのトリクロロエチレン（難溶解性）、ベンゼン（溶解性）浸透状態を解析シミレーションした事例の概念図である。
【００８６】
図２２は、同じく本実施例に係る４次元水循環再現・解析・予測・可視化シミュレーションシステムを構成するシミュレーションの反応性物質移行解析機能を使用して、ある地域の２箇所の汚染源からの農薬汚染の状態を解析シミュレーションした事例の概念図である。
【００８７】
以上説明した本実施例の４次元水循環再現・解析・予測・可視化シミュレーションシステムによれば、過去における地域本来の自然状態での水循環（表流水・地下水、海水）を再現したり、現在における水循環（表流水・地下水、海水）の状態、都市排水、農業用水、化学物質等の循環の状況を解析、推定したり、未来における水循環（表流水・地下水、海水）状態を予測・推定し可視化することが可能となる。
【００８８】
これにより、日本国の一定地域の陸域で生じる様々な水問題（水資源、水環境、水災害）において要請される実用的、かつ、客観的で、地上及び地下の水の流れを一体化して把握し、再現・解析・予測・可視化することが可能になる４次元水循環再現・解析・予測・可視化シミュレーションシステムを実現し提供できるという極めて斬新な効果を奏する。
【００８９】
本実施例の４次元水循環再現・解析・予測・可視化シミュレーションシステムを構成する各技術要素は、既に具体的に確立していることを本願出願人は確認しており、また、本実施例の４次元水循環再現・解析・予測・可視化シミュレーションシステムは、コンピュータにより具体的に実現できることも本願出願人は確認している。
【産業上の利用可能性】
【００９０】
本発明に係る４次元水循環再現・解析・予測・可視化シミュレーションシステムは、上述したような日本国内の一定の地圏における水循環の再現・解析・予測・可視化に用いる他、例えば外国の特定地域における水循環の再現・解析・予測・可視化に用いて国際貢献に資する等の応用が可能である。
【符号の説明】
【００９１】
１    ４次元水循環再現・解析・予測・可視化シミュレーションシステム
１１    制御部
１２    プログラムメモリ
１３    データベース
１４    演算部
１５    画像生成処理部
１６    シミュレーション結果記憶部
１７    キーボード
１８    マウス
１９    カラープリンタ
２０    表示部
【図１】
2014037677.tif 000003
【図２】
2014037677.tif 000004
【図３】
2014037677.tif 000005
【図４】
2014037677.tif 000006
【図２３】
2014037677.tif 000007
【図５】
2014037677.tif 000008
【図６】
2014037677.tif 000009
【図７】
2014037677.tif 000010
【図８】
2014037677.tif 000011
【図９】
2014037677.tif 000012
【図１０】
2014037677.tif 000013
【図１１】
2014037677.tif 000014
【図１２】
2014037677.tif 000015
【図１３】
2014037677.tif 000016
【図１４】
2014037677.tif 000017
【図１５】
2014037677.tif 000018
【図１６】
2014037677.tif 000019
【図１７】
2014037677.tif 000020
【図１８】
2014037677.tif 000021
【図１９】
2014037677.tif 000022
【図２０】
2014037677.tif 000023
【図２１】
2014037677.tif 000024
【図２２】
2014037677.tif 000025